【手続補正書】
【提出日】平成23年4月4日(2011.4.4)
【手続補正１】
【補正対象書類名】特許請求の範囲
【補正対象項目名】全文
【補正方法】変更
【補正の内容】
【特許請求の範囲】
【請求項１】
ユーザによるコマンドが入力されるコマンド入力部と、
前記コマンド入力部より入力されたコマンドに基づいて、前記コマンドの内容に応じた制御コマンドを決定する第１の制御部と、
前記第１の制御部で決定された制御コマンドを他装置に出力する第１の出力部とを備えた、少なくとも１つの第１のリモートコントロール装置と、 
前記ユーザとのインタフェース部分であり、当該装置の操作対象機器が有する複数の機能のうち、いずれか１つの機能を制御するための操作が割り当てられた第１のユーザインタフェース部と、
前記第１のリモートコントロール装置から送信された制御コマンドが入力される第１の入力部と、
前記第１のユーザインタフェース部を介して入力された操作内容と、前記第１の入力部を介して入力された前記制御コマンドに基づいて、前記操作内容と前記制御コマンドに予め対応付けられていた処理を行う第２の制御部と、
前記第２の制御部で行われた処理により、前記操作対象機器を制御するための機器制御コマンドが生成された場合に、前記機器制御コマンドを前記操作対象機器に出力する第２の出力部とを備えた少なくとも１つの第２のリモートコントロール装置とを有する
リモートコントロールシステム。
【請求項２】
当該リモートコントロールシステムを構成する複数の前記第２のリモートコントロール装置における前記第１のユーザインタフェース部は、互いに異なる
請求項１記載のリモートコントロールシステム。
【請求項３】
前記コマンド入力部に入力されるコマンドは音声コマンドである
請求項２記載のリモートコントロールシステム。
【請求項４】
前記第１のリモートコントロール装置は、
ユーザとのインタフェース部分であり、当該装置の操作対象機器が有する複数の機能のうち、いずれか１つの機能を制御するための操作が割り当てられた第２のユーザインタフェース部と、
前記第２のリモートコントロール装置から送信された制御コマンドが入力される第２の入力部とをさらに備え、
前記第１の出力部は、前記第１の制御部で行われた処理により、前記操作対象機器を制御するための機器制御コマンドが生成された場合に、前記機器制御コマンドを前記操作対象機器に出力する
請求項３記載のリモートコントロールシステム。
【請求項５】
前記第１の制御部は、前記コマンド入力部より前記操作内容に割り当てられた機能の変更を指示する音声コマンドを受信した場合には、前記制御コマンドとして、前記操作内容に割り当てられた機能を変更するための機能割り当てコマンドを前記第１の出力部に出力し、
前記操作内容に対して新たに割り当てる機能として、前記コマンド入力部を介して前記ユーザにより指定された機能を、前記制御コマンドとして前記第１の出力部に出力し、
前記第１の出力部は、前記機能割り当てコマンドと前記制御コマンドとを、前記第２のリモートコントロール装置に送信する
請求項４記載のリモートコントロールシステム。
【請求項６】
前記第１及び第２の制御部は、前記第１又は第２の入力部を介して前記機能割り当てコマンドを受信した後に、前記第１又は第２の入力部を介して前記制御コマンドを受信した場合で、前記第１又は第２のユーザインタフェース部を介して前記ユーザからの操作入力を受け付けた場合は、前記操作内容に対して予め対応付けられている前記制御コマンドを、前記新たに入力された前記制御コマンドで上書きする
請求項５記載のリモートコントロールシステム。
【請求項７】
前記第１及び前記第２のリモートコントロール装置は、前記第１又は前記２のユーザインタフェース部より入力される操作内容と、前記制御コマンドとの対応を記した第１のテーブルを有する
請求項４記載のリモートコントロールシステム。
【請求項８】
前記第１のリモートコントロール装置は、前記コマンド入力部を介して入力されるコマンドと、前記制御コマンドとの対応を記載した第２のテーブルを有する
請求項７記載のリモートコントロールシステム。
【請求項９】
前記第１及び前記第２のリモートコントロール装置は、前記操作対象機器の種類と前記操作対象機器に対する制御内容の種類に応じて設定された複数種類のモードを有し、
前記第１のテーブルの内容は、前記モードの種類毎に異なる
請求項８記載のリモートコントロールシステム。
【請求項１０】
前記第１及び第２の制御部は、前記第１又は第２のユーザインタフェース部を介して操作入力を受け付けた場合に、前記操作入力の内容に応じて、前記特定されたモードの種類と対応付けられた前記制御コマンドを抽出する
請求項９記載のリモートコントロールシステム。
【請求項１１】
前記第１のリモートコントロール装置の制御部は、前記コマンド入力部を介して、前記モードの変更を指示するコマンドを受信した場合には、前記モードを変更するためのモード変更コマンドを前記第１の出力部に出力し、
前記モード変更コマンドを受信した前記第１又は第２のリモートコントロール装置の制御部は、前記第１のテーブルを前記モード変更コマンドで指定されたモードに対応するテーブルに切り替える
請求項１０記載のリモートコントロールシステム。
【請求項１２】
前記コマンド入力部は、前記ユーザが発生した音声が入力される音声入力部であり、
前記第１のリモートコントロール装置は、前記音声入力部を介して入力された音声を解析する音声解析部を備え、
前記第１の制御部は、前記音声解析部による解析の結果を基に、前記音声と前記音声コマンドとの対応付けを行い、前記音声コマンドと予め対応付けられた制御コマンドを抽出する
請求項４記載のリモートコントロールシステム。
【請求項１３】
前記第２のリモートコントロール装置の前記第１のユーザインタフェース部は、表示部よりなり、前記第１のリモートコントロール装置から出力された前記機器制御コマンドの内容に応じて行われる、前記操作対象機器における動作に関する情報を表示する
請求項４記載のリモートコントロールシステム。
【請求項１４】
ユーザによるコマンドを第１のリモートコントロール装置において受け付けるステップと、
前記入力されたコマンドに基づいて、前記コマンドの内容に応じた制御コマンドを決定するステップと、
前記決定された制御コマンドを、前記第１のリモートコントロール装置とは異なる第２のリモートコントロール装置に出力するステップと、
ユーザとのインタフェース部分であり、前記第２のリモートコントロール装置の操作対象機器が有する複数の機能のうち、いずれか１つの機能を制御するための操作が割り当てられたユーザインタフェース部より操作入力を受け付けるステップと、
前記第１のリモートコントロール装置から送信された制御コマンドを受け付けるステップと、
前記ユーザインタフェース部より入力された操作内容と、前記第１のリモートコントロール装置から送信された前記制御コマンドに基づいて、前記操作内容と前記制御コマンドに予め対応付けられていた処理を行うステップと、
前記処理によって、前記操作対象機器を制御するための機器制御コマンドが生成された場合に、前記機器制御コマンドを前記操作対象機器に出力するステップとを有する
リモートコントロール信号処理方法。
【手続補正２】
【補正対象書類名】明細書
【補正対象項目名】００５６
【補正方法】変更
【補正の内容】
【００５６】
音声コマンドとして、任意の音声を登録する処理は、例えば図７に示したようなＧＵＩ（Graphical User Interface）を用いて行うようにする。図７には、表示ユニット１００ａの表示部１０５や、操作対象機器２００の表示部（図示略）等に表示される画面の例を示してある。図７の左側に示した画面には、ユニット１００の設定を行うためのメニューが示されている。
【手続補正３】
【補正対象書類名】明細書
【補正対象項目名】００７７
【補正方法】変更
【補正の内容】
【００７７】
「DVD_PLAY_MODE」には、ＤＶＤレコーダに対して再生開始を指示する制御コマンドＣｍ２を出力する動作を対応付けてあり、「DVD_CHAPTER_PREV/NEXT」には、早送り又は巻き戻しをさせるための機器制御コマンドＣｍ２を出力する動作を設定してある。また「DVD_CHANNEL_ PREV/NEXT」には、ＤＶＤレコーダによって再生するコンテンツにおけるチャプタを、チャプタ番号を増加あるいは減少させる方向に変化させる動作を対応付けてある。
【手続補正４】
【補正対象書類名】明細書
【補正対象項目名】００８２
【補正方法】変更
【補正の内容】
【００８２】
このように構成した制御コマンド・動作対応テーブルＴｂ２を有するボタンユニット１００ｂにおいて、表示ユニット１００ａを介して、ユーザからのモード変更の指示を受け付けた場合には、採用するテーブルを切り替える処理が行われる。例えば、ユーザにより、チャプタ選択モードの選択が指示された場合には、操作入力・制御コマンド対応テーブルＴｂ３として、図１２（ｂ）に示したテーブルが選択される。